(57)【要約】【課題】自然界の空間を飛び交う電磁波や音波などの波動を有効利用して発電が出来るようにする。【解決手段】空間を飛び交う電磁波や音波などの波動をアンテナ本体３と吸収体４とからなる捕集アンテナ２等による捕集手段にて捕集し、捕集した電磁波や音波などの波動を天然石・半導体・半導体用元素などの蓄積体１０による蓄積手段にて整波しながら蓄積し、蓄積体１０にコイル１５を巻き単極磁石１４にて磁界を与えて励起させる励起手段にて発電させるようにしたものである。【選択図】        図１
2004229481.tif 000002
【特許請求の範囲】
【請求項１】
空間を飛び交う電磁波や音波などの波動をアンテナ本体と捕集体とからなる捕集アンテナ等による捕集手段にて捕集し、捕集した波動を天然石・半導体・半導体用元素などの蓄積体による蓄積手段にて整波しながら蓄積し、蓄積体にコイルを巻き単極磁石にて磁界を与えて励起させる励起手段にて発電させるようにしたことを特徴とする波動による発電方法。
【請求項２】
捕集手段のアンテナ本体としては、アンテナ線を金属線或は普通コイル又はメビウス巻コイルを金属・非金属からなる芯材に巻いたものとしてなる請求項１記載の波動による発電方法。
【請求項３】
アンテナ本体のメビウス巻コイルとしては、麻・竹・砂糖黍の絞りかす・稲藁等の植物、椎茸・霊芝等の茸類、みかん・無花果等の果物からなる物質を、９ミクロン近辺の生長波動を有する鉱物と共に、無酸素状態（不活性ガス中又は真空）の雰囲気中で焼成して製造した水素収蔵物（通称名フラーレンカーボンナノチューブ）、或は杉・桧・松・その他の花粉、しだ・苔・菌類等の胞子、澱粉、納豆の糸からなる物質を、９ミクロン近辺の生長波動を有する鉱物と共に、無酸素状態（不活性ガス中又は真空）の雰囲気中で焼成して製造した水素収蔵物（通称名フラーレンナノチューブ）をメビウス巻にてコイルにしてなる請求項２記載の波動による発電方法。
【請求項４】
捕集体としては、麻糸・麻布・竹布・絹糸・絹布・紙などの有機高分子材料に、金属粉或は非金属粉によるメッキや塗布などの表面処理を処した請求項１記載の波動による発電方法。
【請求項５】
蓄積体としては、水晶などの天然石・ダイオードなどの整流作用の有る半導体・ゲルマニウムなどの半導体用元素を、単体で或はそれぞれに球体金属を混合して結合した混合体で、又は天然石・半導体・半導体用元素を混合して結合した複合体としてなる請求項１記載の波動による発電方法。
【請求項６】
励起手段として、音波を吸収整波する蓄積体中に置き、単極磁石で電磁波に変えて発電するようにした請求項１記載の波動による発電方法。
【請求項７】
励起手段として、波動を振動に替えて振動モータを介して発電するようにした請求項１記載の波動による発電方法。
【発明の詳細な説明】
【０００１】
【発明の属する技術分野】
本発明は日常の生活空間に飛び交う電磁波や音波などの波動を利用して発電することが出来るようにした波動による発電方法に関するものである。
【０００２】
【従来の技術】
自然界の自由空間で光速度で進行する波長Ｋｍの電波から、それより短い波長のものとして超短波・光・Ｘ線・γ線が電磁波や音波などの波動として存在している。
その電磁波や音波などの波動は通信・医療・工業などそれぞれの波長に合った分野で利用されている。
【０００３】
【発明が解決しようとする課題】
このように電磁波や音波などの波動はそれぞれの波長に合った分野でそれなりに研究開発が進められて成果を出し利用されているが、それはほんの一部で未だ十分とは云えず、公害対策等に取り組みながら環境を破壊することなくより良い生活環境を維持していかなければならない上において不都合を感じていた。
【０００４】
【課題を解決するための手段】
本発明はこのような不都合を解消し、簡単な方法で空間を飛び交う電磁波や音波などの波動を捕集して電気に置換て有効利用することができる波動による発電方法を提供せんとするものである。
空間を飛び交う電磁波や音波などの波動をアンテナ本体と吸収体とからなる捕集アンテナ等による捕集手段にて捕集し、捕集した電磁波や音波などの波動を天然石・半導体・半導体用元素などの蓄積体による蓄積手段にて整波しながら蓄積し、蓄積体にコイルを巻き単極磁石にて磁界を与えて励起させる励起手段にて、電磁波や音波などの波動を電気に置換して発電させるようにしたものである。
【０００５】
アンテナ本体としては、アンテナ線に金属線を或は普通コイル又はメビウス巻コイルを金属・非金属からなる芯材に巻いたものを用いる。
メビウス巻コイルとしては、麻・竹・砂糖黍の絞りかす・稲藁等の植物、椎茸・霊芝等の茸類、みかん・無花果等の果物からなる物質を、９ミクロン近辺の生長波動を有する鉱物と共に、無酸素状態（不活性ガス中又は真空）の雰囲気中で焼成して製造した水素収蔵物（通称名フラーレンカーボンナノチューブ）、或は杉・桧・松・その他の花粉、しだ・苔・菌類等の胞子、澱粉、納豆の糸からなる物質を、９ミクロン近辺の生長波動を有する鉱物と共に、無酸素状態（不活性ガス中又は真空）の雰囲気中で焼成して製造した水素収蔵物（通称名フラーレンナノチューブ）をメビウス巻にてコイルにしたものである
【０００６】
吸収体としては、麻糸・麻布・竹布・絹糸・絹布・紙などの有機高分子材料に、金属粉或は非金属粉によるメッキや塗布などの表面処理を処し、アンテナ本体中央部に設けるようにしたものである。
蓄積体としては、水晶などの天然石・ダイオードなどの整流作用の有る半導体・ゲルマニウムなどの半導体用元素を、単体で或はそれぞれに球体金属を混合して結合した混合体で、又は天然石・半導体・半導体用元素を混合して結合した複合体である。
励起手段として、音波を吸収整波する物質中に置き、単極磁石で電磁波に変えて発電するようにしたものである。
励起手段として、波動を振動に変えて振動モータを介して発電するようにしたものである。
【０００７】
【作用】
捕獲吸収手段にて電磁波や音波などの波動を捕集するが、捕集手段の捕集アンテナとして金属線或は普通コイルを用いても捕集効果は有るが、水素収蔵物にてメビウス巻にしたメビウス巻コイルを用いると、水素収蔵物の特長である悪臭・有毒ガスの分解汚染の防止・マイナスイオンの発生といやし・花粉症の防止・電磁波や音波などの波動の遮蔽・温熱や放電及び起電・等の効果によってより電磁波や音波などの波動の捕集効果を高めると共に、捕獲手段の吸収体によって捕集した電磁波や音波などの波動の吸収を容易としている。
【０００８】
そして蓄積手段にて捕集した電磁波や音波などの波動を蓄積体の整流作用にて整波しながら蓄積する。
更に、励起手段にて整波した電磁波や音波などの波動の電気に置換えるのを容易としている。
尚、本案の捕集手段と蓄積手段と励起手段を用いて原理的に同じ方法であれば、形状的に変化した状態（例えば建物・道路などの設置物或は自動車・船・航空機などの移動物の適箇所に捕集手段と蓄積手段と励起手段をそれぞれ単独で或は複合で用いる）であっても発電することが出来るので、公害もなく環境にも良く自然エネルギーを用いて効率よく発電させることが出来る。
【０００９】
【実施の形態】
以下本発明の一実施例を図面について説明する。
図中１は捕集手段を具体化した捕集装置全体を示し、２はアンテナ本体３と吸収体４からなる捕集アンテナであって、アンテナ本体３は角状の枠体で直立設置可能としたカーボンからなる芯材５に、麻・竹・砂糖黍の絞りかす・稲藁等の植物、椎茸・霊芝等の茸類、みかん・無花果等の果物からなる物質を、９ミクロン近辺の生長波動を有する鉱物と共に、無酸素状態（不活性ガス中又は真空）の雰囲気中で焼成して製造した水素収蔵物（通称名フラーレンカーボンナノチューブ）をメビウス巻としたメビウス巻コイル６を巻き付けている。
【００１０】
吸収体４は麻布からなる有機高分子材料７に金属粉８のメッキの表面処理を行い、前記アンテナ本体３の中央に設けている。
９は蓄積手段を具体化した蓄積具全体を示し、１０は蓄積体であって、水晶の天然石１１粉粒に微粒の球体金属１２を混合して結合した混合体としたもので、前記捕集装置１に接続している。
１３は励起手段を具体化した励起装置全体を示し、１４は１個或は複数個からなる単極磁石であって、前記蓄積体１０の両側に異極が対応するよう設けている。
１５はコイルであって、蓄積体１０を巻き電球からなる電気作動品１６に接続している。
【００１１】
このように捕集装置１と蓄積具９と励起装置１３を接続などにて組合わせて捕集装置１を空中に直立設置すると、捕集アンテナ２のアンテナ本体３にて電磁波や音波などの波動を捕集し吸収体４にて捕集した電磁波や音波などの波動を吸収して蓄積具９に送り、蓄積体１０の整流作用にて電磁波や音波などの波動を整波しながら蓄積具９に蓄積する。
そして蓄積体１０に蓄積される電磁波や音波などの波動は、コイル１５を通る単極磁石１４の磁束に変化を与え、電磁誘導によってコイル１５に電流を発生させて発電し、電気作動品１６を作動して点灯する。
尚、アンテナ本体３にて電磁波や音波などの波動を捕集するが、メビウス巻コイル６による捕集は他の物を用いた場合よりも遥に良く捕集効率を最高の状態にすると共に、双極磁石よりも単極磁石のほうが発電効率が高い。
【００１２】
【発明の効果】
上述の如く本発明の請求項１・請求項６・請求項７に於いては、空間を飛び交う電磁波を捕集して電気に置き換えることが容易に行なえると共に、音を与えると電位の向上が見られるので音波発電を加えて波動発電とする。
請求項２に於いては、電磁波や音波などの波動の捕集を容易にしている。
請求項３に於いては、水素収蔵物の特長である悪臭・有毒ガスの分解汚染の防止・マイナスイオンの発生といやし・花粉症の防止・電磁波や音波などの波動の遮蔽・温熱や放電及び起電・等の効果によって電磁波や音波などの波動の捕集効率をより良くすると共に、捕集時には環境を破壊するような状態が起こらず、自然な状態で捕集が出来る。
【００１３】
請求項４に於いては、捕集した電磁波や音波などの波動の離散を吸収にて防止している。  請求項５に於いては、捕集した電磁波や音波などの波動を整波して蓄積を容易としている。
このように本案によれば、公害もなく環境にも良く自然エネルギーを有効に用いて効率よく発電させることが出来るためその応用範囲も広く多くの特長があり産業利用上非常に優れた発明である。
【図面の簡単な説明】
【図１】本発明実施例の概略図である
【図２】本発明実施例のアンテナ本体の部分拡大図である
【図３】本発明実施例の吸収体の部分拡大断面図である
【図４】本発明実施例の蓄積体の部分拡大断面図である
【符号の説明】
１  捕集装置
２  捕集アンテナ
３  アンテナ本体
４  吸収体
５  芯材
６  メビウス巻コイル
７  有機高分子材料
８  金属粉
９  蓄積具
１０  蓄積体
１１  天然石
１２  球体金属
１３  励起装置
１４  単体磁石
１５  コイル
１６  電気作動品
【図１】
2004229481.tif 000003
【図２】
2004229481.tif 000004
【図３】
2004229481.tif 000005
【図４】
2004229481.tif 000006